(57)【要約】【課題】送信部が供給する電磁波によって内部回路を動作させるための電源およびクロックの供給を受ける半導体装置、および該半導体装置を用いた通信装置およびリセット方法において、電源およびクロック信号の供給状態を監視してリセット信号により内部回路の状態を制御する場合に、制御による内部回路の誤動作を抑制すること。【解決手段】電源の供給状態に応じて内部回路１２をリセット状態またはリセット解除状態とする第１の制御信号を生成する電源監視部１８と、クロックの供給状態に応じて内部回路１２をリセット状態またはリセット解除状態とする第２の制御信号を生成するクロック監視部２６と、第１の制御信号および第２の制御信号のいずれもがリセット解除状態とする信号である場合に、内部回路１２のリセット状態からリセット解除状態への移行を実行する実行部２８と、を含む。【選択図】図１
2018085036.tif 000002
【特許請求の範囲】
【請求項１】
送信部が供給する電磁波によって内部回路を動作させるための電源およびクロックの供給を受ける半導体装置であって、
前記電源の供給状態に応じて前記内部回路をリセット状態またはリセット解除状態とする第１の制御信号を生成する電源監視部と、
前記クロックの供給状態に応じて前記内部回路をリセット状態またはリセット解除状態とする第２の制御信号を生成するクロック監視部と、
前記第１の制御信号および前記第２の制御信号のいずれもがリセット解除状態とする信号である場合に、前記内部回路のリセット状態からリセット解除状態への移行を実行する実行部と、
を含む半導体装置。
【請求項２】
前記電磁波から前記電源を生成する電圧生成部と、
前記電磁波から前記クロックを抽出するクロック抽出部と、をさらに含み、
前記電源監視部は、前記電圧生成部で生成された電圧が第１の閾値以上となった場合に前記内部回路をリセット解除状態とする前記第１の制御信号を生成し、
前記クロック監視部は、前記クロック抽出部で抽出されたクロックの振幅が第２の閾値以上となった場合に前記内部回路をリセット解除状態とする前記第２の制御信号を生成する
請求項１に記載の半導体装置。
【請求項３】
前記電圧生成部で生成された電源の電圧を前記内部回路の動作電圧に変換する電圧変換部と、
前記電圧変換部で変換された前記動作電圧が第３の閾値以上となった場合に前記内部回路をリセット解除状態とする第３の制御信号を生成する動作電圧監視部と、をさらに含み、
前記実行部は、前記第１の制御信号、前記第２の制御信号、および前記第３の制御信号のすべてがリセット解除状態とする信号である場合に、前記内部回路のリセット状態からリセット解除状態への移行を実行する
請求項２に記載の半導体装置。
【請求項４】
前記電源監視部は、前記電圧生成部で生成された電圧が第４の閾値未満となった場合に、前記内部回路をリセット状態とする前記第１の制御信号を生成し、
前記クロック監視部は、前記クロック抽出部で抽出されたクロックの振幅が第５の閾値未満となった場合に、前記内部回路をリセット状態とする前記第２の制御信号を生成し、  前記動作電圧監視部は、前記動作電圧が第６の閾値未満となった場合に、前記内部回路をリセット状態とする前記第３の制御信号を生成し、
前記実行部は、前記第１の制御信号、前記第２の制御信号、および前記第３の制御信号のいずれかがリセット状態とする信号である場合に、前記内部回路のリセット解除状態からリセット状態への移行を実行する
請求項３記載の半導体装置。
【請求項５】
前記第１の制御信号、前記第２の制御信号、および前記第３の制御信号の各々は２値のデジタル信号であり、
前記実行部は論理積回路である
請求項３または請求項４に記載の半導体装置。
【請求項６】
前記第１の制御信号、前記第２の制御信号、および前記第３の制御信号のすくなくとも１つの生成を無効化する無効化部をさらに含む
請求項３〜請求項５のいずれか１項に記載の半導体装置。
【請求項７】
前記送信部が供給する電磁波を受信するアンテナコイルと、
前記アンテナコイルに接続された請求項１〜請求項６のいずれか１項に記載の半導体装置と、
を含む通信装置。
【請求項８】
送信部が供給する電磁波によって内部回路を動作させるための電源およびクロックの供給を受けるとともに、前記電源の供給状態に応じて前記内部回路をリセット状態またはリセット解除状態とする第１の制御信号を生成する電源監視部と、前記クロックの供給状態に応じて前記内部回路をリセット状態またはリセット解除状態とする第２の制御信号を生成するクロック監視部と、を含む半導体装置によるリセット方法であって、
実行部により、前記第１の制御信号および前記第２の制御信号のいずれもがリセット解除状態とする信号である場合に、前記内部回路のリセット状態からリセット解除状態への移行を実行させ、前記第１の制御信号および前記第２の制御信号のいずれかがリセット状態とする信号である場合に、前記内部回路のリセット解除状態からリセット状態への移行を実行させる
リセット方法。
【発明の詳細な説明】
【技術分野】
【０００１】
本発明は、半導体装置、通信装置およびリセット方法に関する。
【背景技術】
【０００２】
無線通信、例えば非接触型無線通信方式であるＮＦＣ（Ｎｅａｒ  Ｆｉｅｌｄ  Ｃｏｍｍｕｎｉｃａｔｉｏｎ：近距離無線通信）においては、データにより変調した電磁波を発生してデータを送信する送信装置と、アンテナコイルによる相互誘導現象を介して、送信装置が発生した電磁波を受けて動作する受信装置を備えている。このような通信方式における受信装置は通常専用の電源を有しておらず、受信した電磁波から電源を生成して受信装置の各回路部分に供給する。また、このような通信方式の受信装置では、各回路部分で用いるクロック信号を生成するクロック源を備えることなく、アンテナを介して受信した電磁波から抽出したクロック信号を用いる場合もある。
【０００３】
上記のような非接触型無線通信では、データの送受信時に、例えば送信装置と受信装置との物理的な距離が大きいこと等が原因で、アンテナコイルの相互誘導現象による受信が不十分な状態が存在する。このような状態で受信装置を動作させると受信データの誤り等の通信異常が発生する虞があるので、受信状態が良好になるまでの間受信装置をリセット状態とし、受信装置の動作を停止させておく場合もある。
【０００４】
図４ないし図６を参照して、上記のリセット動作についてより詳細に説明する。図４は、比較例に係る通信装置１００、受信装置１１０を示している。図４に示すように受信装置１１０は、アンテナコイルＡＣＲ、電圧生成部１１６、レギュレータ１２０、クロック抽出部１２４、クロック監視部１２６、内部回路１１２、および不揮発性メモリ１１４を含んで構成されている。内部回路１１２は、主として受信装置１１０における受信機能が集積化された回路である。不揮発性メモリ１１４は、受信装置１１０を動作させるために必要となるパラメータ等が、電源電圧が供給されていない状態でも保持できるように設けられている。
【０００５】
受信装置１１０では、電流ｉ１によって送信装置１４０のアンテナコイルＡＣＴから発生する電磁波を、アンテナコイルＡＣＲによって受信し、電流ｉ２を発生させる。電圧生成部１１６は電流ｉ２を用いて受信電圧を生成し、受信電圧はレギュレータ１２０によって内部回路１１２において使用される内部回路電圧に変換される。クロック抽出部１２４は、電流ｉ２からクロックを抽出する。クロック監視部１２６はクロック抽出部１２４で抽出されたクロックを監視し、クロックの抽出状態に応じて内部回路１１２のリセット状態制御する制御信号を発生する。すなわち、予め定められた条件によって、内部回路１１２をリセット状態からリセット解除状態に移行させる信号、またはリセット解除状態からリセット状態に移行させる信号を発生する。
【０００６】
図５に示すタイミングチャートを参照して、受信装置１１０の動作についてより詳細に説明する。図５（ｂ）に示すように、本例では時刻ｔ１においてアンテナコイルＡＣＲによる電磁波の受信が開始され、電圧生成部１１６において受信電圧の生成が始まり、受信電圧が立ち上がっている。同時に、図５（ａ）に示すように、時刻ｔ１においてクロック抽出部１２４におけるクロックの抽出が開始され、クロック信号の振幅が増大している。
本例では、時刻ｔ１においてリセット信号が発出され、内部回路１１２がリセット状態とされている。
【０００７】
比較例に係る受信装置１１０のクロック監視部１２６では、クロック抽出部１２４で抽出されたクロックの振幅が、図５（ａ）に示すように閾値Ｖｔｃ３以上となった場合、すなわちクロックパルスＣｐ３になった時刻ｔ２において、アンテナコイルＡＣＲによる受信状態が良好になったと判断し、図５（ｄ）に示すように、リセット状態を解除する。すると、図５（ｅ）に示すように、内部回路１１２の状態がリセット状態から動作状態に遷移する。
【０００８】
以上の構成を有する比較例に係る受信装置１１０では、クロック監視部１２６によってアンテナコイルＡＣＲによる受信状態を監視し、受信状態が十分でない状態の間、すなわちクロック監視部１２６においてクロックの抽出状態が予め定められた条件を満たさない間は内部回路１１２をリセット状態とする。一方、受信状態が良好となった時点、つまり、クロック監視部１２６においてクロックの抽出状態が一定の条件を充足した時点で当該リセットを解除する。このようにして比較例に係る受信装置では受信状態が良好となるまでの間の誤動作を抑制している。
【０００９】
一方、非接触型通信装置の従来技術としては、例えば特許文献１に開示された非接触型情報システムが知られている。特許文献１に開示された非接触型情報システムでは、データを非接触ＩＣカードからリーダライタに返信する場合には、不揮発性メモリ回路部よりも低電圧で動作できるロジック回路部に返信すべきデータを保持させ、データが返信される期間には、リセット発生回路で用いるリセット検知下限電圧をそれ以外の期間に比べ低下させている。特許文献１に係る非接触型情報システムでは、このような構成により、非接触型ＩＣカードとリーダライタとの間の通信可能な距離を延ばし、また、非接触型ＩＣカードからデータをリーダライタに返信する際に、電源電圧が低下しても安定してデータの送受信を行うことができるとしている。
【先行技術文献】
【特許文献】
【００１０】
【特許文献１】国際公開第２００５／１０１３０４号公報
【発明の概要】
【発明が解決しようとする課題】
【００１１】
しかしながら、比較例に係る受信装置１１０のリセット方式では、送信装置１４０と受信装置１１０との距離によっては、クロック監視部１２６による判断では受信状態が良好と判断されているにもかかわらず、内部回路１１２を動作させるための内部回路電圧が十分に立ち上がっていないという状態が想定される。すなわち、図５に示す例では時刻ｔ２においてクロック監視部１２６により受信状態が良好と判断されているが、図５（ｃ）に示すように、内部回路電圧は、内部回路電圧の閾値（内部回路が正常に動作するのに必要な最低電圧）Ｖｔｖ５に到達していない。内部回路電圧が閾値Ｖｔｖ５に達するのは時刻ｔ３である。
【００１２】
図６を参照して、受信装置１１０におけるリセット動作についてより詳細に説明する。
図６において、時間Ｔｒの範囲は、送信装置１４０と受信装置１１０とが近づき、受信装置１１０における受信が開始された前後の各部動作波形を示している。時間Ｔｒの範囲は、図５と基本的に同じ動作である。一方時間Ｔｆの範囲は、送信装置１４０と受信装置１１０とが離れ、受信装置１１０における受信が停止された前後の各部動作波形を示している。
【００１３】
先述したように、時間Ｔｒの範囲では、時刻ｔ２においてリセットが解除され、時刻ｔ３において内部回路電圧が閾値Ｖｔｖ５に達している。換言すれば、時刻ｔ２から時刻ｔ３の間では十分な内部回路電圧が得られておらず、その結果、図６（ｅ）に示すように内部回路１１２の状態は誤動作が発生し得る状態、すなわち不安定状態となっている。
【００１４】
一方時間Ｔｆにおいては、どの時点で受信状態が不十分と判断し、リセット解除状態をリセット状態とするかが重要となる。本例では、図６（ａ）に示すように、時刻ｔ５においてクロックの振幅が閾値Ｖｔｃ４まで低下した時点（クロックパルスＣｐ４が発生した時点）において、図６（ｄ）に示すように、内部回路リセット信号がリセット解除状態からリセット状態に遷移している。しかしながら、内部回路電圧は時刻ｔ４においてすでに閾値Ｖｔｖ６より小さい電圧となっている。従って、時刻ｔ４から時刻ｔ５の間は不安定状態となっている。
【００１５】
以上のように、クロック信号の振幅を監視してリセット解除状態とリセット状態とを切り替えている比較例に係る受信装置１１０では、内部回路１１２で誤動作が発生し得る不安定状態が存在するという問題がある。不揮発性メモリ１１４を搭載している受信装置１１０では、この不安定動作の問題に加え、不揮発性メモリ１１４へ誤った書き込みが行われてしまうという懸念がある。すなわち、図６（ｅ）に示す不安定状態の期間では内部回路電圧が不十分であるため、不揮発性メモリ１１４の制御動作も不安定となり、不揮発性メモリ１１４へ誤ったデータを書き込んでしまい、受信装置１１０の動作に必要なデータを破壊してしまう可能性がある。不揮発性メモリ１１４のデータが破壊された場合の復旧は、一般に非常に困難である。
【００１６】
この点、特許文献１に係る非接触型情報システムでも電源電圧の低下とリセットとの関係を問題としているが、データの保持、リセット検知下限電圧の変更等煩雑な動作が要求される。また、非接触型通信装置では送信装置と受信装置とが通信可能な距離と、不可能な距離との間を往復する場合がある。このような場合にはアンテナコイルで受信した電流ｉ２で生成された電圧（受信電圧）は、内部回路の動作に対して十分な電圧と不十分な電圧との間を行き来することになり、受信電圧だけを直接監視してリセット状態を制御するだけでは信頼性的に不十分である。さらに、特許文献１に係る非接触型情報システムでは、クロック信号の生成とリセットとの関係については考慮されていない。
【００１７】
本発明は、上述した課題を解決するためになされたものであり、送信部が供給する電磁波によって内部回路を動作させるための電源およびクロックの供給を受ける半導体装置、および該半導体装置を用いた通信装置およびリセット方法において、電源およびクロック信号の供給状態を監視してリセット信号により内部回路の状態を制御する場合に、制御による内部回路の誤動作を抑制することを目的とする。
【課題を解決するための手段】
【００１８】
本発明に係る半導体装置は、送信部が供給する電磁波によって内部回路を動作させるための電源およびクロックの供給を受ける半導体装置であって、前記電源の供給状態に応じて前記内部回路をリセット状態またはリセット解除状態とする第１の制御信号を生成する電源監視部と、前記クロックの供給状態に応じて前記内部回路をリセット状態またはリセット解除状態とする第２の制御信号を生成するクロック監視部と、前記第１の制御信号および前記第２の制御信号のいずれもがリセット解除状態とする信号である場合に、前記内部回路のリセット状態からリセット解除状態への移行を実行する実行部と、を含むものである。
【００１９】
本発明に係る通信装置は、前記送信部が供給する電磁波を受信するアンテナコイルと、前記アンテナコイルに接続された上記の半導体装置と、を含むものである。
【００２０】
本発明に係るリセット方法は、送信部が供給する電磁波によって内部回路を動作させるための電源およびクロックの供給を受けるとともに、前記電源の供給状態に応じて前記内部回路をリセット状態またはリセット解除状態とする第１の制御信号を生成する電源監視部と、前記クロックの供給状態に応じて前記内部回路をリセット状態またはリセット解除状態とする第２の制御信号を生成するクロック監視部と、を含む半導体装置によるリセット方法であって、実行部により、前記第１の制御信号および前記第２の制御信号のいずれもがリセット解除状態とする信号である場合に、前記内部回路のリセット状態からリセット解除状態への移行を実行させ、前記第１の制御信号および前記第２の制御信号のいずれかがリセット状態とする信号である場合に、前記内部回路のリセット解除状態からリセット状態への移行を実行させるものである。
【発明の効果】
【００２１】
本発明によれば、送信部が供給する電磁波によって内部回路を動作させるための電源およびクロックの供給を受ける半導体装置、および該半導体装置を用いた通信装置およびリセット方法において、電源およびクロック信号の供給状態を監視してリセット信号により内部回路の状態を制御する場合に、制御による内部回路の誤動作を抑制することが可能となる。
【図面の簡単な説明】
【００２２】
【図１】第１の実施の形態に係る受信装置の構成の一例を示すブロック図である。
【図２】第１の実施の形態に係る受信装置の動作を示すタイミングチャートである。
【図３】第２の実施の形態に係る受信装置の構成の一例を示すブロック図である。
【図４】比較例に係る受信装置の構成を示すブロック図である。
【図５】比較例に係る受信装置の動作を示すタイミングチャートである。
【図６】比較例に係る受信装置の問題を説明するタイミングチャートである。
【発明を実施するための形態】
【００２３】
以下、図面を参照して、本発明を実施するための形態について詳細に説明する。
【００２４】
［第１の実施の形態］
図１および図２を参照して、本実施の形態に係る半導体装置、通信装置およびリセット方法について説明する。図１は、本実施の形態に係る半導体装置としての受信装置１０および通信装置１を示すブロック図である。
【００２５】
図１に示すように、通信装置１は、受信装置１０と送信装置４０とによって構成されている。受信装置１０は、アンテナコイルＡＣＲ、電圧生成部１６、受信電圧監視部１８、レギュレータ２０、内部回路電圧監視部２２、クロック抽出部２４、クロック監視部２６、ＡＮＤ回路２８、内部回路１２、および不揮発性メモリ１４を含んで構成されている。
内部回路１２は、主として受信装置１０における受信機能が集積化された回路である。不揮発性メモリ１４は、受信装置１０を動作させるために必要となるパラメータ等が、電源電圧が供給されていない状態でも保持されるように設けられている。
【００２６】
送信装置４０は受信装置１０に対してデータを送信する装置であり、アンテナコイルＡＣＴを備えている。送信装置４０では、送信データによって変調された電流ｉ１をアンテナコイルに流すことによって電磁波を発生させる。受信装置１０ではアンテナコイルＡＣＲでこの電磁波を受信し、電流ｉ２を発生させる。
【００２７】
電圧生成部１６は、電流ｉ２を入力して受信装置１０の電源の元となる受信電圧を発生させる。レギュレータ２０は、受信電圧を入力し、内部回路１２の動作で要求される電圧である内部回路電圧に変換して出力する。また、クロック抽出部２４は、電流ｉ２からクロック信号を抽出し、内部回路１２に供給する。
【００２８】
受信装置１０では、内部回路１２のリセット動作を制御するためのリセット信号（リセット動作の制御信号）として、リセット信号Ａ、リセット信号Ｂ、およびリセット信号Ｃの３つのリセット信号を用いている。以下、各リセット信号の詳細について説明する。なお、本実施の形態において「リセット信号」とは、リセット信号の接続先をリセット解除状態とするか、リセット状態とするかを制御する信号であり、一例として、ローレベル（以下、「Ｌ」）でリセット状態とし、ハイレベル（以下、「Ｈ」）でリセット解除状態としている。むろん、この論理は逆、すなわち、Ｌでリセット解除状態とし、Ｈでリセット状態としてもよい。
【００２９】
受信電圧監視部１８は、電圧生成部１６で生成された受信電圧を入力してその状態を監視し、予め定められた条件に応じてリセット信号Ｂを発生させる。本実施の形態では、予め定められた条件の一例として、受信電圧の電位が予め定められた閾値Ｖｔｖ１以上となった場合にリセット状態からリセット解除状態に遷移させる信号を発生し、受信電圧の電位が予め定められた閾値Ｖｔｖ２未満となった場合にリセット解除状態からリセット状態に遷移させる信号を発生させる。閾値Ｖｔｖ１とＶｔｖ２とは、同じであっても異なっていてもよい。
【００３０】
内部回路電圧監視部２２は、レギュレータ２０で発生した内部回路電圧を入力してその状態を監視し、予め定められた条件に応じてリセット信号Ａを発生させる。本実施の形態では、予め定められた条件の一例として、内部回路電圧の電位が予め定められた閾値Ｖｔｖ３以上となった場合にリセット状態からリセット解除状態に遷移させる信号を発生し、受信電圧の電位が予め定められた閾値Ｖｔｖ４未満となった場合にリセット解除状態からリセット状態に遷移させる信号を発生させる。閾値Ｖｔｖ３とＶｔｖ４とは、同じであっても異なっていてもよい。
【００３１】
クロック監視部２６は、クロック抽出部２４で抽出されクロック信号を入力してその状態を監視し、予め定められた条件に応じてリセット信号Ｃを発生させる。本実施の形態では、予め定められた条件の一例として、クロック信号の振幅が予め定められた閾値Ｖｔｃ１以上となった場合にリセット状態からリセット解除状態に遷移させる信号を発生し、クロック信号の振幅が予め定められた閾値Ｖｔｃ２未満となった場合にリセット解除状態からリセット状態に遷移させる信号を発生させる。閾値Ｖｔｃ１とＶｔｃ２とは、同じであっても異なっていてもよい。
【００３２】
ＡＮＤ回路２８は、リセット信号Ａ、リセット信号Ｂ、およびリセット信号Ｃを入力とし、それらの論理積をとって内部回路リセット信号を生成する。すなわち、受信装置１０の装置立ち上がり時（受信装置１０と送信装置４０とが近接した場合）には、リセット信号Ａ、リセット信号Ｂ、およびリセット信号Ｃのいずれもがリセット解除状態（本実施の形態では、Ｈ）となった場合に、リセット解除状態を指示する内部回路リセット信号（本実施の形態では、Ｈ）を発生させる。内部回路リセット信号は内部回路１２に入力され、この内部回路リセット信号によって、内部回路１２がリセット解除状態に設定される。
【００３３】
一方、受信装置１０の装置立ち下がり時（受信装置１０と送信装置４０とが離間した場合）には、リセット信号Ａ、リセット信号Ｂ、およびリセット信号Ｃのいずれかがリセット状態（本実施の形態では、Ｌ）となった場合に、リセット状態を指示する内部回路リセット信号（本実施の形態では、Ｌ）を発生させる。内部回路リセット信号は内部回路１２に入力され、この内部回路リセット信号によって、内部回路１２がリセット状態に設定される。
【００３４】
次に、図２を参照して、受信装置１０の動作についてより詳細に説明する。図２は、各部動作波形をタイミングチャートで示したものである。
【００３５】
まず、受信装置１０の装置立ち上がり時の動作について説明する。受信装置１０と送信装置４０とが近接したことにより、時刻ｔ１において、電圧生成部１６で受信電圧の生成が開始され（図２（ｂ））、クロック抽出部２４でクロックの生成が開始されている（図２（ａ））。受信電圧が立ち上がったことにより、その後レギュレータ２０によって内部回路電圧の生成が開始されている（図２（ｃ））。時刻ｔ１において、受信装置１０はリセット状態とされる。
【００３６】
その後、時刻ｔ３においてクロック信号の振幅が閾値Ｖｔｃ１に達したので（図２（ａ）、クロックパルスＣｐ１の位置）、クロック監視部２６からリセット解除状態を指示するリセット信号Ｃが出力される（図２（ｆ））。しかしながら、この時点ではリセット信号Ａおよびリセット信号Ｂがリセット状態となっているので（図２（ｄ）、（ｅ））、ＡＮＤ回路２８から出力される内部回路リセット信号はリセット状態を維持する（図２（ｇ））。
【００３７】
その後、時刻ｔ４において受信電圧の電位が閾値Ｖｔｖ１に達したので、受信電圧監視部１８からリセット解除状態を指示するリセット信号Ｂが出力される（図２（ｅ））。しかしながら、この時点ではリセット信号Ａがリセット状態となっているので（図２（ｄ））、ＡＮＤ回路２８から出力される内部回路リセット信号はリセット状態を維持する（図２（ｇ））。
【００３８】
その後、時刻ｔ５において内部回路電圧の電位が閾値Ｖｔｖ３に達したので、内部回路電圧監視部２２からリセット解除状態を指示するリセット信号Ａが出力される（図２（ｄ））。このとき、リセット信号Ｂ、リセット信号Ｃがリセット解除状態を指示する信号となっているので（図２（ｅ）、（ｆ））、ＡＮＤ回路２８はリセット解除状態を指示する信号を出力する（図２（ｇ））。これを受けて、内部回路１２の状態はリセット状態から動作状態に遷移する（図２（ｈ））。以上が、本実施の形態に係る受信装置１０の装置立ち上がり時の動作である。
【００３９】
続けて、図２を参照し、受信装置１０の装置立ち下り時の動作について説明する。図２に示す例では、受信装置１０と送信装置４０とが離間したことによって、時刻ｔ６において、受信電圧が閾値Ｖｔｖ２未満となったので、受信電圧監視部１８がリセット状態を指示するリセット信号Ｂを出力する（図２（ｅ））。その結果、ＡＮＤ回路２８からリセット状態を指示する内部回路リセット信号が出力されている（図２（ｇ））。これを受けて、内部回路１２の状態は動作状態からリセット状態に遷移している（図２（ｈ））。つまり、ＡＮＤ回路２８は、リセット信号Ａ、Ｂ、Ｃの何れかがリセット状態を指示する信号となると、リセット状態を指示する内部回路リセット信号を出力する。
【００４０】
その後、時刻ｔ７において内部回路電圧が閾値Ｖｔｖ４未満になったので、内部回路電圧監視部２２がリセット状態を指示するリセット信号Ａを出力している（図２（ｄ））。
その後、時刻ｔ８においてクロック信号の振幅が閾値Ｖｔｃ２に達したので（クロックパルスＣｐ２の位置）、クロック監視部２６がリセット状態を指示するリセット信号Ｃを出力している（図２（ｆ））。しかしながら、時刻ｔ７におけるリセット信号Ａの遷移、時刻ｔ８におけるリセット信号Ｃの遷移によっては、内部回路リセット信号は影響を受けず（図２（ｇ））、従って、内部回路１２の状態はリセット状態に維持される（図２（ｈ））。
【００４１】
以上詳述したように、本実施の形態に係る受信装置１０では、電磁波を受信して生成された受信電圧、およびクロック信号、並びに受信電圧を変換した内部回路電圧の３つについて監視し、各々の監視結果をもとに内部回路のリセット状態を制御する３つのリセット信号（リセット信号Ａ、リセット信号Ｂ、リセット信号Ｃ）を生成している。そして、装置立ち上がり時には、すべてのリセット信号がリセット状態からリセット解除状態に移行することを指示する信号となった場合に、内部回路をリセット解除状態としている。換言すると、生成した電圧、およびクロック信号が内部回路の動作に必要な程度に十分に供給されておらず、内部回路が動作するのに必要な条件がそろっていないときはリセットをアサートし続ける（リセット状態を維持する）ことにより、内部回路の誤動作を抑制している。一方、装置立ち下り時には、いずれかのリセット信号がリセット解除状態からリセット状態に移行することを指示する信号となった場合に、内部回路をリセット解除状態からリセット状態としている。換言すると、監視している複数の条件のうちいずれかの条件が満たされなくなった場合には、速やかに内部回路をリセット状態とし、内部回路の誤動作を抑制している。
【００４２】
以上の構成を備えた本実施の形態に係る受信装置、通信装置、リセット方法によれば、リセット信号の信頼度が高められるので、電源およびクロック信号の供給状態を監視してリセット信号により内部回路の状態を制御する場合に、制御による内部回路の誤動作が抑制される。特に、信頼性の高い内部回路電圧が供給されるので、不揮発性メモリ１４に誤った書込みが行われることも抑制される。
【００４３】
なお、本実施の形態では、装置立ち上がり時にリセット信号Ｃ（クロック信号）、リセット信号Ｂ（受信電圧）、リセット信号Ａ（内部回路電圧）の順でリセット状態がリセット解除状態とされ、装置立ち下がり時にリセット信号Ｂ（受信電圧）、リセット信号Ａ（内部回路電圧）、リセット信号Ｃ（クロック信号）の順でリセット解除状態がリセット状態とされる形態を例示して説明したが、各リセット信号の発出順序はこれに限られず、実際の設計条件等に応じて適切な順序としてよい。また、各リセット信号の発出順序は、閾値（Ｖｔｖ１〜Ｖｔｖ４、Ｖｔｃ１〜Ｖｔｃ２）を調整することにより変更することができる。これらの閾値については、例えば受信装置１０の設計段階において、実験あるいはシミュレーション等により設定しておいてもよい。
【００４４】
［第２の実施の形態］
図３を参照して、本実施の形態に係る受信装置１０ａについて説明する。受信装置１０ａは、上記実施の形態に係る受信装置１０の各リセット信号（リセット信号Ａ、リセット信号Ｂ、リセット信号Ｃ）に対するマスク機能を設けた形態である。受信装置１０ａと送信装置４０によって本実施の形態に係る通信装置１ａが構成されている。送信装置４０は、上記実施の形態に係る通信装置１の送信装置４０と同じものである。なお、図３では不揮発性メモリ１４の図示を省略しているが、不揮発性メモリ１４は必要に応じて設ければよいもので、必須のものではない。
【００４５】
図３に示すように、受信装置１０ａは、受信装置１０に対しテスト部３０、ＯＲ回路３２、３４、３６を付加した点が異なる。その他の構成については変更がないので、同様の構成には同じ符号を付し、詳細な説明を省略する。
【００４６】
ここで、受信装置１０ａに限らず、半導体装置においては、製品出荷前の半導体装置の性能をチェックする評価、あるいは製品出荷時の半導体装置の検査等、内部回路を主体としたテストが行われるのが一般的である。しかしながら、このような場合には上記実施の形態に係る受信装置１０のように、内部回路の状態がリセット信号によって制御されていると、逐一リセット信号の生成源（受信電圧監視部１８、内部回路電圧監視部２２、クロック監視部２６）を設定し直す必要があって不便である。そこで、本実施の形態では、テスト時には各リセット信号をマスク可能なように構成されている。
【００４７】
図３を参照して、受信装置１０ａの動作についてより詳細に説明する。図３に示すように、内部回路電圧監視部２２からのリセット信号ＡはＯＲ回路３２を介してＡＮＤ回路２８に入力されている。受信電圧監視部１８からのリセット信号ＢはＯＲ回路３４を介してＡＮＤ回路２８に入力されている。クロック監視部２６からのリセット信号ＣはＯＲ回路３６を介してＡＮＤ回路２８に入力されている。そして、通常時（受信装置１０ａの稼働時）にはテスト部３０からＯＲ回路３２、３４、３６の各々にＬを出力しておく。このことにより、ＯＲ回路３２、３４、３６の各々は単純なゲートと等価となり、受信装置１０ａは上記実施の形態に係る受信装置１０と同様に動作する。
【００４８】
一方、テスト時には、テスト部３０からＯＲ回路３２、３４、３６の各々にＨを出力させる。このことにより、ＯＲ回路３２、３４、３６の各々の出力がＨに固定され、ＡＮＤ回路２８からＨ、すなわち内部回路１２をリセット解除状態とする信号が出力される。このことにより、本実施の形態に係る受信装置１０ａによれば、テスト時（評価、検査等）において各リセット信号の影響をなくした状態でテストが可能となり、テストの容易化が可能となっている。なお、ここではテスト時にテスト部３０からＯＲ回路３２、３４、３６の各々にＨを出力させる形態を例示して説明したが、これに限られず、テスト内容によっては、ＯＲ回路３２、３４、３６のいずれかにＨを出力させる形態としてもよい。
【００４９】
なお、上記各実施の形態では、受信電圧、内部回路電圧、およびクロック信号を監視して各々からリセット信号を発生させる形態を例示して説明したがこれに限られない。例えば、受信電圧または内部回路電圧と、クロック信号の２つを監視し、各々からリセット信号を発生させる形態としてもよい。逆に、内部回路１２の動作に必要なその他の条件（例えば、送信装置４０から送信される特定の信号等）があれば、その条件が充足されるまでの間はリセット状態をアサートさせる形態としてもよい。
【符号の説明】
【００５０】
１、１ａ  通信装置
１０、１０ａ  受信装置
１２      内部回路
１４      不揮発性メモリ
１６      電圧生成部
１８      受信電圧監視部
２０      レギュレータ
２２      内部回路電圧監視部
２４      クロック抽出部
２６      クロック監視部
２８      ＡＮＤ回路
３０      テスト部
３２、３４、３６  ＯＲ回路
４０      送信装置
１００    通信装置
１１０    受信装置
１１２    内部回路
１１４    不揮発性メモリ
１１６    電圧生成部
１２０    レギュレータ
１２４    クロック抽出部
１２６    クロック監視部
１４０    送信装置
ＡＣＴ、ＡＣＲ  アンテナコイル、Ｃｐ１〜Ｃｐ４  クロックパルス、ｉ１、ｉ２  電流、Ｖｔｃ１〜Ｖｔｃ３、Ｖｔｖ１〜Ｖｔｖ６  閾値
【図１】
2018085036.tif 000003
【図２】
2018085036.tif 000004
【図３】
2018085036.tif 000005
【図４】
2018085036.tif 000006
【図５】
2018085036.tif 000007
【図６】
2018085036.tif 000008